(57)【要約】      （修正有）【課題】鍋蓋を気にすることなく、摘み本体を指で簡単につかむことができる鍋蓋用摘みを提供する。【解決手段】鍋蓋１の上面に取付けられる基体２と、基体２に装着される上下動可能な摘み本体５と、摘み本体５に当接して摘み本体５を上方位置に保持するストッパーとしての第１の板ばね７とにより、鍋蓋用摘み４を構成する。基体２に対し摘み本体５を上下動させることができ、しかも第１の板ばね７により摘み本体５を上方位置に保持できる。そのため、鍋蓋１と摘み本体５との間に十分な距離が確保され、摘み本体５を指で簡単につかんで、鍋本体から鍋蓋１を楽に持ち上げることができる。【選択図】図１
0003106267.tif 000002
【実用新案登録請求の範囲】
【請求項１】
鍋蓋の上面に取付けられる基体と、前記基体に装着される上下動可能な摘み本体と、前記摘み本体に当接して当該摘み本体を上方位置に保持するストッパーとを備えたことを特徴とする鍋蓋用摘み。
【請求項２】
前記鍋蓋を上下逆にしたときに、この鍋蓋を床面に接触させることなく、床面上に鍋蓋用摘みを載置できる載置面を、前記摘み本体に形成したことを特徴とする請求項１記載の鍋蓋用摘み。
【請求項３】
前記摘み本体は、前記基体を上下方向に挿通する中空部の内側面に、前記ストッパーを装着する凹部を形成してなると共に、前記ストッパーは、前記摘み本体を上下動させたときに、前記基体に当接する弾性変形可能な膨出部を有する板ばねにより構成されることを特徴とする請求項１または２記載の鍋蓋用摘み。
【請求項４】
前記ストッパーに嵌合する嵌合部を前記凹部に形成したことを特徴とする請求項３記載の鍋蓋用摘み。
【請求項５】
前記基体は、前記鍋蓋の上面に立設する台座と、この台座の上部外周にあって、前記摘み本体を上下動させたときに前記ストッパーの膨出部に当接し、かつ前記摘み本体を回転させたときに前記凹部に当接する凸部とを備えたことを特徴とする請求項３または４記載の鍋蓋用摘み。
【考案の詳細な説明】
【技術分野】
【０００１】
本考案は、調理に使用する鍋蓋の上面に取付けられる鍋蓋用摘みに関する。
【背景技術】
【０００２】
調理用の鍋は周知のように、水や食材などの調理物を収容し、有底状をなす鍋本体の上面開口部に、着脱自在な鍋蓋が設けられると共に、この鍋蓋の上面中央部に、鍋蓋を持ち易くするための摘みが設けられる。こうした鍋蓋用摘みの特に本体となる摘み部は、指が滑らずかつ摘み易いように、その形状に種々の工夫が凝らされている。
【０００３】
また、この種の鍋蓋用摘みとして、例えば特許文献１には、鍋蓋の上面中央に筒壁を立設し、その筒壁の一側部に蒸気抜き孔を設けると共に、筒壁に対し回転可能に設けられる摘み本体の一側部に調整孔を設けて、指で摘む部分である摘み本体の回転操作によって、蒸気抜き孔の開度を調整するものが開示されている。
【特許文献１】特開平８−１６４０７６号公報
【考案の開示】
【考案が解決しようとする課題】
【０００４】
上記構成において、鍋本体内の調理物を外部の加熱手段によって加熱すると、調理物から発生する蒸気が鍋蓋の裏面に直接当たるため、特許文献１にあるような蒸気抜き孔を有する鍋蓋用摘みであっても、鍋蓋はある程度加熱される。しかし、従来の鍋蓋用摘みは、摘み部（摘み本体）に形成されたフランジ状の指掛け部と、加熱された状態にある鍋蓋との間が狭く、鍋本体から鍋蓋を持ち上げようとしても、鍋蓋が邪魔になって摘み部に指がつかみにくい欠点があった。
【０００５】
また、鍋本体から取り外した鍋蓋を上部逆さにして床面に置いた場合に、床面と鍋蓋との空間が狭すぎて、この空間における空気の流通が阻害される。そのため、鍋蓋が冷えにくく、鍋蓋の裏面からいつまでも湯気が出た状態となり、鍋蓋を直ぐに別な場所に移動できない。しかも、特許文献１の鍋蓋用摘みは、摘み本体の上面が円錐状になっているため、摘み本体の上面だけを床面に載せて、鍋蓋用摘みを含む鍋蓋を上部逆さまの状態に保持することができない。そのため、冷えにくい鍋蓋の縁部が床面に直接接触したり、鍋蓋裏面に付着した水滴が、鍋蓋の縁部から床面に流れ落ちたりする不満があった。
【０００６】
そこで本考案は上記問題点に鑑み、鍋蓋を気にすることなく、摘み本体に指を簡単につかむことができる鍋蓋用摘みを提供することをその目的とする。
【０００７】
また、本考案の第２の目的は、鍋蓋を上下逆さにした状態で、鍋蓋を速やかに冷やすことができると共に、鍋蓋が床面に接触したり、鍋蓋裏面の水滴が床面に流れ出るのを防止できる鍋蓋用摘みを提供することにある。
【課題を解決するための手段】
【０００８】
請求項１における鍋蓋用摘みは、鍋蓋の上面に取付けられる基体と、前記基体に装着される上下動可能な摘み本体と、前記摘み本体に当接して当該摘み本体を上方位置に保持するストッパーとを備えて構成される。
【０００９】
上記構成によれば、鍋蓋の上面に取付けられた基体に対し、摘み本体を上下動させることができると共に、ストッパーにより摘み本体を上方位置に保持できる。そのため、鍋蓋と摘み本体との間に十分な距離が確保され、加熱状態にある鍋蓋を気にすることなく、摘み本体に指を簡単につかんで、鍋本体から鍋蓋を楽に持ち上げることができる。
【００１０】
請求項２における鍋蓋用摘みは、鍋蓋を上下逆にしたときに、この鍋蓋を床面に接触させることなく、床面上に鍋蓋用摘みを載置できる載置面を、前記摘み本体に形成している。
【００１１】
この場合、ストッパーにより基体に対し摘み本体を上方位置に保持したまま、鍋蓋を上下逆さにすると、鍋蓋と床面との間に十分な距離を確保しつつ、鍋蓋を上に載せた状態で、鍋蓋用摘みを床面上に載置することができる。そのため、鍋蓋と床面との間で空気が円滑に流れて、鍋蓋を速やかに冷やすことができる。しかも、鍋蓋を上下逆さにしても、鍋蓋の縁部を床面に接触させずに、摘み本体に形成した載置面だけを床面の上に載せることができるので、鍋蓋裏面に付着した水滴が、鍋蓋の縁部から床面に流れ落ちるのを防止できる。
【００１２】
請求項３における鍋蓋用摘みは、前記基体を上下方向に挿通する中空部の内側面に、前記ストッパーを装着する凹部を形成して摘み本体を構成すると共に、前記摘み本体を上下動させたときに、前記基体に当接する弾性変形可能な膨出部を有する板ばねにより、前記ストッパーを構成している。
【００１３】
こうすると、摘み本体と共に移動するストッパーの膨出部が基体に当接することにより、摘み本体の上下方向の動きは一旦規制されるが、膨出部を弾性変形させる力を摘み本体に加えると、膨出部を乗り越えて摘み本体をさらに上下方向に動かすことができる。したがって、膨出部を形成した板ばねによって、摘み本体を簡単に任意の上方位置に保持させることができる。
【００１４】
請求項４における鍋蓋用摘みは、前記ストッパーに嵌合する嵌合部を前記凹部に形成している。
【００１５】
こうすると、嵌合部がストッパーの外れ止めとして作用するので、摘み本体を上下方向に動かしているときに、摘み本体からストッパーが脱落する虞れを防止できる。
【００１６】
請求項５における鍋蓋用摘みの基体は、前記鍋蓋の上面に立設する台座と、この台座の上部外周にあって、前記摘み本体を上下動させたときに前記ストッパーの膨出部に当接し、かつ前記摘み本体を回転させたときに前記凹部に当接する凸部とを備えている。
【００１７】
こうすると、摘み本体を上下動させたときに、基体に形成した凸部がストッパーの膨出部に当接するが、この基体の凸部は、摘み本体を回転させたときに、摘み本体の凹部に当接する。すなわち、基体に形成したストッパーの膨出部に当接する凸部を、摘み本体の回り止めとして機能させることが可能になる。
【考案の効果】
【００１８】
本考案は、以上説明したようなものであるから、以下に記載されるような効果を奏する。
【００１９】
請求項１における鍋蓋用摘みによれば、鍋蓋を気にすることなく、摘み本体に指を簡単につかむことができる。
【００２０】
請求項２における鍋蓋用摘みによれば、鍋蓋を上下逆さにした状態で、鍋蓋を速やかに冷やすことができると共に、鍋蓋が床面に接触したり、鍋蓋裏面の水滴が床面に流れ出るのを防止できる。
【００２１】
請求項３における鍋蓋用摘みによれば、膨出部を形成した板ばねによって、摘み本体を簡単に任意の上方位置に保持させることができる。
【００２２】
請求項４における鍋蓋用摘みによれば、摘み本体からストッパーが脱落する虞れを防止できる。
【００２３】
請求項５における鍋蓋用摘みによれば、基体に形成した凸部を、摘み本体の回り止めとして機能させることが可能になる。
【考案を実施するための最良の形態】
【００２４】
以下、添付図面を参照しながら、本考案における鍋蓋用摘みの好ましい各実施例を説明する。
【００２５】
図１〜図７は、本考案の第一実施例を示すもので、１は有底状の鍋本体（図示せず）の上面開口部に着脱可能に設けられる鍋蓋、２は当該鍋蓋１の上面中心部に例えばリベットやねじなどの止着部材３を利用して取付け固定される鍋蓋用摘み４の基体である。ここでの鍋蓋用摘み４は、基体２の他に、当該基体２を取り囲むように配置される上下動可能な摘み本体５と、基体２と摘み本体５との間にあって、摘み本体５を上方位置と下方位置のいずれかに保持するストッパーとしての第１の板ばね７と、摘み本体５の上面開口部９を塞ぐ薄板状のキャップ10とからなる各部材で構成される。
【００２６】
基体２は、前記止着部材３の嵌入孔（図示せず）を底面に有し、鍋蓋１の上面に立設する円柱状の台座11と、この台座11の上部外周より水平方向に突出形成したフランジ12とにより構成される。また、このフランジ12の外周には、後述する摘み本体５の凹溝22に係合して、摘み本体５の回転方向の動きを規制する凸部14が、さらに水平方向に突出して形成される。本実施例では、凹溝22および凸部14が４箇所形成されているが、その数については特に限定されない。
【００２７】
一方、摘み本体５は、その下面から上面にかけて外径が徐々に拡がるように、テーパー状の側面を有する指掛け部16が外周に形成されると共に、摘み本体５の上面と下面にそれぞれ開口部９,19を有し、基体２を上下方向に挿通する円筒状の中空部17が、摘み本体５の略中心部に設けられる。また、中空部17の内周側面下部には、基体２に対して摘み本体５を上方に動かしたときに、フランジ12の下面が突き当たって、それ以上の摘み本体５の動きを規制する位置決め片18が形成される。さらに、この中空部17の内周側面には、第１の板ばね７を装着し、かつ基体２の外周側面に形成した凸部14を係合する凹部としての凹溝22が、一方の開口９から他方の開口19に延びて上下方向に形成されると共に、この凹溝22の下部には、第１の板ばね７に嵌合する嵌合片23が突出形成される。
【００２８】
第１の板ばね７は、前記凹溝22に装着可能な形状を有し、嵌合片23の外面に嵌合な嵌合部としての折返し片25と、前記摘み本体５を上下動させる途中で前記基体２の凸部14に当接し、この凸部14に向けて若干突出した弾性変形可能な膨出部26を有するばね片28とにより形成される。本実施例では、中空部17の内周側面に一定毎の間隔をおいて４箇所の凹溝22を設け、各凹溝22に同じ第１の板ばね７を装着しており、膨出部26は平板状に形成されたばね片28の下方寄りに設けられる。これにより、図１に示すように、摘み本体５が下方位置にあるときには、基体２の凸部14の下側部が第１の板ばね７の膨出部26に当接するまで、指掛け部16を利用して摘み本体５を比較的少ない力で自由に上方に動かすことができるが、図２に示すように、基体２の凸部14が第１の板ばね７の膨出部26を乗り越えるまで、摘み本体５を上方位置に移動させると、今度は指掛け部16から指を離しても、基体２の凸部14の上側部が第１の板ばね７の膨出部26にすぐに当接して、摘み本体５は殆ど下方に移動せずに、そこで保持されるようになる。
【００２９】
一方、別な例として、図６や図７に示すような別な形状の第２の板ばね８を、各凹溝22に装着してもよい。ここでの第２の板ばね８は、第１の板ばね７と同様に折返し片25と膨出部27を有するばね片28とにより形成されるが、第１の板ばね７に形成した膨出部26は、スポット状に突出した形状を有しているのに対して、第２の板ばね８に形成した膨出部27は、膨出部26よりも比較的なだらかな湾曲状を有している。この場合、摘み本体５が下方位置にあるときに、指掛け部16を利用して摘み本体５を上方に動かそうとすると、直ぐに基体２の凸部14の下側部が第１の板ばね７の膨出部26に当接するものの、膨出部27の弾性力が第１の板ばね７よりも弱いので、この膨出部27の弾性に抗して、少ない力で摘み本体５を上方位置まで移動させることができる。
【００３０】
前記キャップ10は、前述のように摘み本体５の上面開口部９を塞ぐものであるが、このときキャップ10を含む摘み本体５の上面は、鍋蓋１を上下逆にしたときに、この鍋蓋１の外周縁部が床面に接触することなく、鍋蓋用摘み４を床面上に載せることができるように、全体が平坦若しくは中心部が摘み本体５の下方に向けて若干凹んだ載置面29として形成されている。これにより、特に第１の板ばね７や第２の板ばね８によって、基体２に対し摘み本体５を上方位置に延ばして保持すると、鍋蓋１と床面との間に十分な距離を確保しつつ、上下逆の鍋蓋１を床面に接することなく上方に載せた状態で、鍋蓋用摘み４を床面上に載置することができる。
【００３１】
次に、上記構成について、その作用を説明する。先ず、鍋蓋用摘み４の組立てについて説明すると、摘み本体５単独の状態で、第１の板ばね７若しくは第２の板ばね８のいずれか一種類を、中空部17の内周側面に形成した各凹溝22内に装着する。このとき、第１の板ばね７または第２の板ばね８には折返し片25が形成されているので、当該折返し片25を嵌合部である嵌合片23の外面に嵌合させることで、第１の板ばね７や第２の板ばね８が凹溝22から外れるのを防止できると共に、膨出部26，27を摘み本体５の中空部17側に向けた状態で、第１の板ばね７や第２の板ばね８を正しく凹溝22内に装着することができる。
【００３２】
全ての凹溝22内に第１の板ばね７若しくは第２の板ばね８を装着したら、基体２の台座11下面を摘み本体５の上面開口部９から挿入する。そして、最後に摘み本体５の上面開口部９をキャップ10で塞ぎ、当該上面開口部９から基体２が脱落しないようにして、鍋蓋用摘み４としての組立てを完了する。当該鍋蓋用摘み４は、止着部材３を利用して種々の形態の鍋蓋１に取付けられる。
【００３３】
次に、使用時における各部の作用を説明すると、図１に示すように、鍋蓋１が例えば鍋本体の上面開口部を閉じた状態で、摘み本体５が下方に位置するときには、鍋蓋１の上面に摘み本体５の底面が当接している。このとき、第１の板ばね７に形成した膨出部26よりも上方に、基体２の凸部14が位置している。図１に示す状態から、摘み本体５の指掛け部16をつかんで、当該摘み本体５に上方へ移動する力を加えると、基体２に形成した凸部14の下側部が第１の板ばね７の膨出部26に当たるまで、摘み本体５を無理なく動かすことができるが、基体２の凸部14が第１の板ばね７の膨出部26に当接すると、そこから膨出部26を弾性変形させる力を摘み本体５に加えない限り、当該摘み本体５は図１に示す下方位置に保持される。
【００３４】
一方、基体２に形成した凸部14の下側部が、第１の板ばね７の膨出部26に当接した状態で、膨出部26を弾性変形させる力を摘み本体５に加えると、前記凸部14が膨出部26を乗り越えて摘み本体５がさらに上方に移動する。すると、今度は図２に示すように、摘み本体５の指掛け部16から指を離しても、摘み本体５の自重により、基体２の凸部14の上側部が第１の板ばね７の膨出部26にすぐに当接する。その結果、摘み本体５は殆ど下方に移動せずに、上方に延びた位置で保持されるようになる。
【００３５】
逆に、図２に示す状態から摘み本体５を基体２側に押し込んで、膨出部26を弾性変形させる力を摘み本体５に加えると、前記凸部14が膨出部26を乗り越えて摘み本体５がさらに下方に移動し、図１に示すように、摘み本体５は基体２に対し下方に位置することになる。
【００３６】
また、基体２の外周から水平方向に突出した凸部14が、摘み本体５の中空部17の内周側面に形成した凹溝22に嵌まり込んでいる関係で、摘み本体５が基体２の上下方向に対しどの位置にあっても、摘み本体５を僅かに回転させただけで、摘み本体５の凹溝22に基体２の凸部14が突き当たり、摘み本体５のそれ以上の回転を凸部14によって効果的に規制することができる。
【００３７】
以上のように本実施例では、鍋蓋１の上面に取付けられる基体２と、基体２に装着される上下動可能な摘み本体５と、摘み本体５に当接して当該摘み本体５を上方位置に保持するストッパーとしての第１の板ばね７（または第２の板ばね８）を備えて構成される。
【００３８】
上記構成によれば、鍋蓋１の上面に取付けられた基体２に対し、摘み本体５を上下動させることができると共に、第１の板ばね７により摘み本体５を上方位置に保持できる。そのため、鍋蓋１と摘み本体５との間に十分な距離が確保され、加熱状態にある鍋蓋１を気にすることなく、摘み本体５に指を簡単につかんで、鍋本体から鍋蓋１を楽に持ち上げることができる。
【００３９】
また、本実施例の鍋蓋用摘み４は、鍋蓋２を上下逆にしたときに、この鍋蓋２を床面に接触させることなく、床面上に鍋蓋用摘み４を載置できる載置面29を、摘み本体５に形成している。
【００４０】
この場合、第１の板ばね７により基体２に対し摘み本体５を上方位置に保持したまま、鍋蓋１を上下逆さにすると、鍋蓋１と床面との間に十分な距離を確保しつつ、鍋蓋１を上に載せた状態で、鍋蓋用摘み４を床面上に載置することができる。そのため、鍋蓋１と床面との間で空気が円滑に流れて、鍋蓋１を速やかに冷やすことができる。しかも、鍋蓋１を上下逆さにしても、鍋蓋１の縁部を床面に接触させずに、摘み本体５に形成した載置面29だけを床面の上に載せることができるので、鍋蓋１の裏面に付着した水滴が、鍋蓋１の縁部から床面に流れ落ちるのを防止できる。
【００４１】
また、本実施例の鍋蓋用摘み４は、基体２を上下方向に挿通する中空部17の内側面に、第１の板ばね７を装着する凹部たる凹溝22を形成して摘み本体５を構成すると共に、前記摘み本体５を上下動させたときに、基体２に当接する弾性変形可能な膨出部26を有する第１の板ばね７（板ばね）により、ストッパーを構成している。
【００４２】
こうすると、摘み本体５と共に移動する第１の板ばね７の膨出部26が基体２に当接することにより、摘み本体５の上下方向の動きは一旦規制されるが、膨出部26を弾性変形させる力を摘み本体５に加えると、膨出部26を乗り越えて摘み本体５をさらに上下方向に動かすことができる。したがって、膨出部26を形成した第１の板ばね７（若しくは、膨出部27を形成した第２の板ばね８）によって、摘み本体５を簡単に任意の上方位置に保持させることができる。
【００４３】
また、本実施例の鍋蓋用摘み４は、第１の板ばね７に嵌合する嵌合部としての嵌合片23を凹溝22に形成している。
【００４４】
こうすると、嵌合片23が第１の板ばね７の外れ止めとして作用するので、摘み本体５を上下方向に動かしているときに、摘み本体５から第１の板ばね７が脱落する虞れを防止できる。
【００４５】
また、本実施例の鍋蓋用摘み４の基体２は、鍋蓋１の上面に立設する台座11と、この台座11の上部外周にあって、摘み本体５を上下動させたときに第１の板ばね７の膨出部26に当接し、かつ摘み本体５を回転させたときに凹溝22に当接する凸部14とを備えている。
【００４６】
こうすると、摘み本体５を上下動させたときに、基体２に形成した凸部14が第１の板ばね７の膨出部26に当接するが、この基体２の凸部14は、摘み本体５を回転させたときに、摘み本体５の凹溝22に当接する。すなわち、基体２に形成した第１の板ばね７の膨出部26に当接する凸部14を、摘み本体５の回り止めとして機能させることが可能になる。
【００４７】
次に、本考案の第２実施例を図８および図９に基づき説明する。なお、前記第１実施例と同一箇所には同一符号を付し、その共通する部分の説明は重複するため極力省略する。前述の第１の板ばね７若しくは第２の板ばね８によって、摘み本体５を基体２に対し上方位置に十分保持できる場合は、本実施例に示すように前記凹溝22および凸部14を４箇所ではなく、２箇所だけ配置してもよい。この場合、凹溝22は中空部17の内周側面のお互いに向かい合う位置に設けるのが好ましく、凸部14も凹溝22に対応した位置に配設する。その他、鍋蓋用摘み４の組立ての手順や各部の動作は、前述した通りである。
【００４８】
なお本考案は、上記実施例に限定されるものではなく、本考案の趣旨を逸脱しない範囲で変更可能である。例えば本実施例におけるストッパーとしての板ばね形状は、実施例中のものに限られず、鍋蓋の重量や大きさなどに応じて適宜変更してよい。また、実施例の凹溝22は、文字通り摘み本体５の上面開口部９に至るまで溝状に延びて形成されているが、上面開口部９に達することなく凹状に形成されていてもよい。
【図面の簡単な説明】
【００４９】
【図１】本考案の第１実施例における鍋蓋用摘みを鍋蓋に取り付けた状態で、かつ摘み本体が下方位置にある時の縦断面図である。
【図２】同上、摘み本体が上方位置にある時の鍋蓋用摘みの縦断面図である。
【図３】同上、摘み部の平面図である。
【図４】同上、基体の平面図である。
【図５】同上、第１の板ばねの斜視図である。
【図６】同上、第２の板ばねの斜視図である。
【図７】同上、第２の板ばねを装着した時の鍋蓋用摘みの縦断面図である。
【図８】本考案の第２実施例における摘み部の平面図である。
【図９】同上、基体の平面図である。
【符号の説明】
【００５０】
１  鍋蓋
２  基体
５  摘み本体
７  第１の板ばね（ストッパー、板ばね）
８  第２の板ばね（ストッパー、板ばね）
11  台座
14  凸部
22  凹溝（凹部）
23  嵌合片（嵌合部）
26，27  膨出部
【図１】
0003106267.tif 000003
【図２】
0003106267.tif 000004
【図３】
0003106267.tif 000005
【図４】
0003106267.tif 000006
【図５】
0003106267.tif 000007
【図６】
0003106267.tif 000008
【図７】
0003106267.tif 000009
【図８】
0003106267.tif 000010
【図９】
0003106267.tif 000011